(57)【要約】【課題】中央部分に与えられた液体が横方向に拡散しにくくなり、横漏れの不安が生じにくい吸収性物品を提供することを目的としている。【解決手段】液不透過性の裏面シート５の表面の中央部分に中央吸収要素１０が、その両側に側部吸収要素１５，１５が位置している。中央吸収要素１０は、中央吸収シート１１が中央表面シート１２で覆われた構造であり、前記中央吸収シート１１には、複数の凸条の隆起部２５が形成され、縦案内溝３１の底部の横方向への大きさが、横案内溝３２の底部の縦方向への大きさに比べて大きい。このため、前記中央吸収要素１０内で液体を縦方向へ拡散でき、側方からの液体の漏れを防止しやすくできる。【選択図】    図３
2004350726.tif 000002
【特許請求の範囲】
【請求項１】
肌側表面に位置する液透過性の表面シートと、着衣側表面に位置する裏面シートとの間に液を吸収する吸収シートが設けられた吸収性物品において、
前記吸収シートは、厚み方向に向けて立体的に変形した状態を保ち、その立体形状は、着衣側に開口する内部空間を形成して肌側に突出する多数の隆起部を有するものであり、前記隆起部を肌側から見た形状は、縦方向の長さ寸法が横方向の幅寸法よりも大きく、
横方向に隣接する前記隆起部の間に縦方向に延びる縦案内溝が、縦方向に隣接する隆起部の間に、前記縦案内溝どうしを連通させる横案内溝が形成されており、前記縦案内溝は、縦方向に並ぶ隆起部の複数個に渡る縦方向の長さを有していることを特徴とする吸収性物品。
【請求項２】
前記横案内溝を通過して横方向に延びる直線上では、前記隆起部と前記横案内溝とが縦案内溝を挟んで交互に配置されている請求項１記載の吸収性物品。
【請求項３】
前記吸収シートを、前記隆起部の頂部を通って縦方向に延びる縦方向切断線で切断したときの、前記隆起部の内部空間の断面積をＡ１、横案内溝の溝空間の断面積をＢ１とし、横方向に隣接する隆起部をそれぞれ横断して横方向に延びる横方向切断線で切断したときの、前記隆起部の内部空間の断面積をＡ２、縦案内溝の溝空間の断面積をＢ２としたときに、Ｂ１／Ａ１よりもＢ２／Ａ２の比の方が大きい請求項１または２記載の吸収性物品。
【請求項４】
前記吸収シートを、前記隆起部の頂部を通って縦方向に延びる縦方向切断線で切断したときの、前記隆起部の内部空間の断面積をＡ１、横案内溝の溝空間の断面積をＢ１としたときに、前記Ｂ１／Ａ１の比は、縦方向中心線の位置よりも、吸収シートの両側部の方が小さい請求項１ないし３のいずれかに記載の吸収性物品。
【請求項５】
前記吸収シートを、横方向に隣接する隆起部をそれぞれ横断して横方向に延びる横方向切断線で切断したときの、前記隆起部の内部空間の断面積をＡ２、縦案内溝の溝空間の断面積をＢ２としたときに、Ｂ２／Ａ２の比は、縦方向中心線の位置よりも吸収シートの両側部の方が小さい請求項１ないし４のいずれかに記載の吸収性物品。
【請求項６】
前記隆起部の縦方向の長さ寸法は、縦方向中心線の位置よりも吸収シートの両側部の方が長い請求項１ないし５のいずれかに記載の吸収性物品。
【請求項７】
前記吸収シートよりも着衣側には、前記吸収シートの縦案内溝と横案内溝のそれぞれの底部が接する液吸収保持層が設けられている請求項１ないし６のいずれかに記載の吸収性物品。
【請求項８】
前記吸収シートは、前記隆起部の頂部の密度および縦案内溝と横案内溝のそれぞれの底部の密度よりも、縦案内溝に面する壁部の密度の方が低い請求項７記載の吸収性物品。
【請求項９】
縦方向に延びる中央吸収要素と前記中央吸収要素の両側に位置してそれぞれが縦方向に延びる側部吸収要素とが設けられて、それぞれの吸収要素の着衣側表面が前記裏面シートに支持されており、
前記中央吸収要素は、前記吸収シートと、前記吸収シートの肌側表面および両側端部を覆う前記表面シートとを有し、それぞれの前記側部吸収要素は、液を吸収する側部吸収シートと、前記側部吸収シートの肌側表面および両側端部を覆う側部表面シートとを有しており、
前記液吸収保持層は、前記中央吸収要素の着衣側およびそれぞれの前記側部吸収要素の着衣側に連続して設けられている請求項７または８記載の吸収性物品。
【請求項１０】
前記中央吸収要素と前記側部吸収要素との境界部が、前記中央吸収要素および前記側部吸収要素よりも折り曲がりやすくなっている請求項９記載の吸収性物品。
【請求項１１】
前記中央吸収要素の肌側表面と、前記側部吸収要素の肌側表面に同じ量の液体を与えたときに、前記中央吸収要素での液体の吸収速度が、前記側部吸収要素での液体の吸収速度よりも速い請求項９または１０記載の吸収性物品。
【請求項１２】
前記中央表面シートが、前記側部表面シートよりも液体を透過させやすいものである請求項１１記載の吸収性物品。
【発明の詳細な説明】
【０００１】
【発明の属する技術分野】
本発明は、生理用ナプキン、女性のおりものを吸収するパンティライナー、尿取りパッド、おむつの吸収補助パッド、さらには使い捨ておむつなどとして用いられる吸収性物品に関し、特に肌側表面から与えられた液体が縦方向に拡散しながら速やかに吸収される吸収性物品に関する。
【０００２】
【従来の技術】
生理用ナプキンとして女性の経血を吸収するためなどに使用される吸収性物品は、液不透過性の裏面シートの上に液体を吸収して保持する吸収層が設置され、前記吸収層の表面が液透過性の表面シートで覆われている構造が一般的である。体から排出される液体は、主に前記吸収性物品の中央部分にて前記表面シートを透過して前記吸収層で吸収されて保持される。
【０００３】
この種の吸収性物品は、液体の吸収速度が速くまた液体の吸収容量が大きく、さらに液体が側方へ漏れにくいことが好ましい。そこで、以下の各特許文献には、吸収性物品に液が与えられたときに、この液を主に縦方向に向けて拡散させやすくして、横方向への液の洩れを防止しやすくすることを目的とした吸収性物品が開示されている。
【０００４】
【特許文献１】
特表平８−５１１７０６号公報
【特許文献２】
特開平２−２５７９５１号公報
【特許文献３】
特開２０００−２２５１４６号公報
【０００５】
【発明が解決しようとする課題】
前記特許文献１に開示された吸収性物品は、肌側表面に向く表面シートの下側に流動体方向付け構成物品が設けられている。この流動体方向付け構成物品は、その図１１に示すように、肌側に向けて凸状に形成された縦リブが、縦方向に連続して平行に形成されている。この吸収性物品では、表面シートを透過した液が前記流動体方向付け構成物品によって縦方向に方向付けされることにより、横方向への漏れを防止しようとしている。
【０００６】
しかし前記流動体方向付け構成物品は、開口を有するプラスチックフィルムで形成されて、前記縦リブが縦方向に向けて連続して形成されているものであるため、隣接する縦リブの間に位置する溝内に与えられた液が吸収層に移行するのに時間を要し、前記溝内に液が滞留しやすい。よって、吸収性物品の液の吸収速度が遅くなる欠点がある。
【０００７】
また、前記特許文献１の図１０には、前記流動体方向付け構成物品の他の例として、疎水性フィルム構造体に、平面から見た形状が円形の突起が多数規則的に配列したものが開示されている。しかし、この流動体方向付け構成物品では、液を縦方向に方向付けするのが難しく、むしろ前記突起が液の拡散を阻害するおそれがある。
【０００８】
次に、前記特許文献２および特許文献３には、縦方向に連続して延びる互いに区分された複数の吸収体が設けられた構造とし、個々の吸収体に与えられた液を縦方向に拡散して、横方向への液の拡散を防止しようとしている。
【０００９】
しかし、前記特許文献２および特許文献３に記載のものは、区分されたそれぞれの吸収体が、互いに同じ構造であるため、例えば中央の吸収体に液が与えられたときに、この液が前記吸収体内で縦方向と横方向に均一に拡散してしまう。よって、隣接する吸収体に液が移行しやすくなり、多くの液が与えられたときに横方向への液洩れを確実に阻止するのは困難である。
【００１０】
本発明は上記従来の課題を解決するものであり、液を縦方向に方向付けする機能が高く、しかも液を迅速に吸収できるようにして横方向への洩れを防止しやすくした吸収性物品を提供することを目的としている。
【００１１】
【課題を解決するための手段】
本発明は、肌側表面に位置する液透過性の表面シートと、着衣側表面に位置する裏面シートとの間に液を吸収する吸収シートが設けられた吸収性物品において、
前記吸収シートは、厚み方向に向けて立体的に変形した状態を保ち、その立体形状は、着衣側に開口する内部空間を形成して肌側に突出する多数の隆起部を有するものであり、前記隆起部を肌側から見た形状は、縦方向の長さ寸法が横方向の幅寸法よりも大きく、
横方向に隣接する前記隆起部の間に縦方向に延びる縦案内溝が、縦方向に隣接する隆起部の間に、前記縦案内溝どうしを連通させる横案内溝が形成されており、前記縦案内溝は、縦方向に並ぶ隆起部の複数個に渡る縦方向の長さを有していることを特徴とするものである。
【００１２】
本発明の吸収性物品は、前記吸収シートに形成された縦案内溝によって液が縦方向に向けられるとともに、横案内溝によって横方向へも液が案内される。しかし、縦案内溝の方が長く形成されるため、液は横方向よりも縦方向へ拡散しやすくなっている。また、吸収シートそのものが液の吸収機能を有しているため、案内溝内を伝わる液が吸収シートに速やかに吸収され、案内溝の溝空間内に液が滞留しにくくなる。
【００１３】
本発明では、前記横案内溝を通過して横方向に延びる直線上では、前記隆起部と前記横案内溝とが縦案内溝を挟んで交互に配置されているものにできる。
【００１４】
前記構成では、隣接する横案内溝が横方向に連続していないため、液が横方向へ過剰に拡散するのを防止でき、液の横方向での洩れを防止しやすくなる。
【００１５】
また、本発明は、前記吸収シートを、前記隆起部の頂部を通って縦方向に延びる縦方向切断線で切断したときの、前記隆起部の内部空間の断面積をＡ１、横案内溝の溝空間の断面積をＢ１とし、横方向に隣接する隆起部をそれぞれ横断して横方向に延びる横方向切断線で切断したときの、前記隆起部の内部空間の断面積をＡ２、縦案内溝の溝空間の断面積をＢ２としたときに、Ｂ１／Ａ１よりもＢ２／Ａ２の比の方が大きいことが好ましい。
【００１６】
このように構成すると、液は縦案内溝内で案内されやすく、液が縦方向に向けて拡散しやすくなる。
【００１７】
また、本発明では前記吸収シートを、前記隆起部の頂部を通って縦方向に延びる縦方向切断線で切断したときの、前記隆起部の内部空間の断面積をＡ１、横案内溝の溝空間の断面積をＢ１としたときに、前記Ｂ１／Ａ１の比は、縦方向中心線の位置よりも、吸収シートの両側部の方が小さいものとすることが好ましい。
【００１８】
あるいは、前記吸収シートを、横方向に隣接する隆起部をそれぞれ横断して横方向に延びる横方向切断線で切断したときの、前記隆起部の内部空間の断面積をＡ２、縦案内溝の溝空間の断面積をＢ２としたときに、Ｂ２／Ａ２の比は、縦方向中心線の位置よりも吸収シートの両側部の方が小さいものであってもよい。
【００１９】
さらには、前記隆起部の縦方向の長さ寸法は、縦方向中心線の位置よりも吸収シートの両側部の方が長いものであってもよい。
【００２０】
前記いずれかの構成とすることにより、吸収シートの中央部分で液が縦方向に拡散しやすくなり、また側方へ流れようとする液を吸収シートの側部で留めることができ、吸収シートからの横漏れを防止しやすくなる。
【００２１】
本発明は、液吸収機能を有する層として前記吸収シートのみを用いてもよいが、前記吸収シートよりも着衣側には、前記吸収シートの縦案内溝と横案内溝のそれぞれの底部が接する液吸収保持層が設けられているものとすることができる。
【００２２】
吸収シートの下に液吸収保持層を設けることにより、吸収シートで吸収された液が液吸収保持層に移行するようになり、吸収性物品の液の吸収容量を高めることができる。
【００２３】
この場合に、前記吸収シートは、前記隆起部の頂部の密度および縦案内溝と横案内溝のそれぞれの底部の密度よりも、縦案内溝に面する壁部の密度の方が低いことが好ましい。
【００２４】
このように構成すると、縦案内溝に沿って流れる液が密度の低い壁部を通過して隆起部の内部空間に移行し、その下に位置する液吸収保持層に移行しやすくなる。
【００２５】
また、本発明は、縦方向に延びる中央吸収要素と前記中央吸収要素の両側に位置してそれぞれが縦方向に延びる側部吸収要素とが設けられて、それぞれの吸収要素の着衣側表面が前記裏面シートに支持されており、
前記中央吸収要素は、前記吸収シートと、前記吸収シートの肌側表面および両側端部を覆う前記表面シートとを有し、それぞれの前記側部吸収要素は、液を吸収する側部吸収シートと、前記側部吸収シートの肌側表面および両側端部を覆う側部表面シートとを有しており、
前記液吸収保持層は、前記中央吸収要素の着衣側およびそれぞれの前記側部吸収要素の着衣側に連続して設けられているものとして構成できる。
【００２６】
中央吸収要素に前記吸収シートを設けることにより、中央吸収要素に与えられた液が縦方向に方向付けされて横方向へ拡散しにくくなり、側方吸収要素に液が移行しにくくなり、横漏れを防止しやすくなる。
【００２７】
また、前記中央吸収要素と前記側部吸収要素との境界部が、前記中央吸収要素および前記側部吸収要素よりも折り曲がりやすくなっているため、下着に装着して横方向からの押圧力を受けたときに、中央吸収要素が身体に向けて変形し、中央吸収要素が身体の排泄部に密着しやすくなる。
【００２８】
また、前記中央吸収要素の肌側表面と、前記側部吸収要素の肌側表面に同じ量の液体を与えたときに、前記中央吸収要素での液体の吸収速度が、前記側部吸収要素での液体の吸収速度よりも速いことが好ましい。
【００２９】
例えば、前記中央表面シートが、前記側部表面シートよりも液体を透過させやすいものである。
【００３０】
この構成では、液が中央吸収要素において迅速に吸収されるようになり、また側部吸収要素に与えられる少ない液も側部吸収要素で吸収できるようになる。また側部吸収要素の表面シートがドライ状態を保つようになるため、肌への接触感触も良好になる。
【００３１】
【発明の実施の形態】
本発明の吸収性物品は、女性の膣口から排泄される経血などを吸収することを目的とする生理用ナプキンなどに使用される。また吸収性物品の２つの表面のうち股間部に向けられる表面を肌側表面とし、反対側の表面は、その外側に着衣が着用されるか否かに拘らず着衣表面と表現する。また、縦方向とは、装着者の臀部側から腹部側に向けて装着される方向を意味し、横方向は前記縦方向と直交する方向を意味する。
【００３２】
図１は本発明の吸収性物品の第１の実施の形態として生理用ナプキン１を、肌側表面側を上にして示した斜視図、図２は図１に示す生理用ナプキンの平面図、図３は図１の生理用ナプキンをＩＩＩ−ＩＩＩ線で切断した断面を縦方向中央線Ｏｙ−Ｏｙよりも右側のみ拡大した部分拡大断面図である。なお、図２では肌側表面に、エンボス加工されたドット状の圧縮凹部が現れているが、図１では前記圧縮凹部の図示を省略している。
【００３３】
図１に示す生理用ナプキン１の平面形状は縦方向（Ｙ方向）の長さ寸法が、横方向（Ｘ方向）の幅寸法よりも長い縦長形状であり、前方に向けて凸状である円弧形状の前縁部１ａおよび後方に向けて凸状である円弧形状の後縁部１ｂを有している。縦方向に延びる右側縁部１ｃと左側縁部１ｄは、縦方向中心線Ｏｙ−Ｏｙに向けて窪む凹曲線形状である。右側縁部１ｃと左側縁部１ｄとの距離すなわち生理用ナプキン１の幅寸法は、装着者の主に股間部に当てられる前縁部１ａ側よりも、主に臀部に当てられる後縁部１ｂ側が大きく広がる形状である。
【００３４】
この生理用ナプキン１を女性の股間部に当てたときに、膣口を縦方向に二分する中心部分にほぼ当たる位置にて横方向に延びる線を横方向基準線Ｏｘ−Ｏｘとしたときに、この横方向基準線Ｏｘ−Ｏｘが通過する線上では、右側縁部１ｃと左側縁部１ｄとが、横方向（Ｘ方向）の両側に突出し、この突出した部分にウイング部２および３が形成されている。そして、生理用ナプキン１は、縦方向中央線Ｏ−Ｏを挟んで左右両側部分が対称形状である。
【００３５】
図３の断面図に示すように、生理用ナプキン１の着衣側表面には裏面シート５が設けられている。この裏面シート５は液不透過性且つ通気性のシートであり、微細な通気孔が形成された厚みが１５〜５０μｍ程度のポリエチレン（ＰＥ）フィルム、あるいはポリプロピレン（ＰＰ）フィルムなどである。前記裏面シート５の平面形状は、前記生理用ナプキン１の平面形状と同じであり、裏面シート５の外周縁部が、前記前縁部１ａ、前記後縁部１ｂ、前記右側縁部１ｃ、前記左側縁部１ｄの形状に一致している。
【００３６】
前記裏面シート５の着衣側表面には、中央部分に縦方向にストライプ状に塗工された感圧接着剤層６，６が設けられている。また前記ウイング部２と３の着衣側表面にも感圧接着剤層７，７が塗工されている。使用前の生理用ナプキン１では、前記感圧接着剤層６，６および感圧接着剤層７，７が離型シートで覆われて保護されている。
【００３７】
前記裏面シート５の肌側表面には、縦方向に延びる中央吸収要素１０と、前記中央吸収要素１０の左右両側に位置してそれぞれが縦方向に延びる側部吸収要素１５，１５を有している。前記中央吸収要素１０と側部吸収要素１５，１５は、共に生理用ナプキン１の縦方向の全長に渡って延びている。
【００３８】
図３に示すように、前記中央吸収要素１０は、縦長の中央吸収シート１１と、この中央吸収シート１１の肌側表面１１ｃおよび、縦方向に延びる両側端部１１ｅ，１１ｅを覆う中央表面シート１２を有している。図２に示すように、前記中央吸収シート１１は縦長の矩形状であり、前記中央吸収シート１１の前縁部１１ａおよび後縁部１１ｂは生理用ナプキン１の前縁部１ａおよび後縁部１ｂよりも内側に位置している。また、前記中央表面シート１２の前縁部１２ａおよび後縁部１２ｂは、生理用ナプキン１の前記前縁部１ａおよび後縁部１ｂにほぼ一致している。
【００３９】
図３に示すように、前記中央表面シート１２の両側端部１２ｃ，１２ｃは、前記中央吸収シート１１の両側端部１１ｅ，１１ｅを覆うとともに、中央吸収シート１１の両側部の着衣側表面１１ｄを短い幅で覆っている。よって、中央吸収要素１０の着衣側では、そのほとんどの領域に中央吸収シート１１の着衣側表面１１ｄが露出している。
【００４０】
図３に示すように、前記中央吸収シート１１の肌側表面１１ｃと中央表面シート１２との間には第２表面シート１３が設けられている。前記第２表面シート１３は前記中央吸収シート１１の肌側表面１１ｃの全面を覆うことができるように、前記第２表面シート１３とほぼ同じ大きさである。
【００４１】
図１に示すように、前記中央吸収要素１０では、縦方向中心線Ｏｙ−Ｏｙから右側と左側に等間隔に開けた位置に、縦方向に一定のピッチで配列する複数の圧着凹部１４が形成されている。前記圧着凹部１４は、縦方向に向けて直線状に配列しており、個々の圧着凹部１４では、前記中央表面シート１２、第２表面シート１３および中央吸収シート１１が、局部的に加圧され且つ加熱されて互いに接合されている。
【００４２】
前記ドット状の個々の圧着凹部１４で、中央表面シート１２、第２表面シート１３および中央吸収シート１１がほぼフィルム状に溶着されているとともに、縦方向に隣接する圧着凹部１４と圧着凹部１４との中間部１４ａにおいても、中央表面シート１２、第２表面シート１３および中央吸収シート１１が圧縮されている。その結果、生理用ナプキン１の肌側表面では、前記圧着凹部１４が窪んでいるとともに、前記中間部１４ａにも窪みが形成されて、圧着凹部１４の並び方向に沿って圧縮溝が形成されている。なお、ドット状の前記圧着凹部１４を配列する代りに、フィルム状に溶着された領域が縦方向に直線状に延びる圧着溝を形成してもよい。
【００４３】
左右両側に位置している側部吸収要素１５，１５は共に同じ形状で且つ同じ構造である。
【００４４】
前記側部吸収要素１５は、縦長の側部吸収シート１６と、この側部吸収シート１６を包む第３表面シート１８、および前記側部吸収シート１６および前記第３表面シート１８を包むようにして覆う側部表面シート１７とを有している。側部吸収シート１６の肌側表面１６ａの全面、内側に向く側端部１６ｂすなわち前記中央吸収要素１０に対向する側端部部１６ｂ、外側に向く側端部１６ｃ、および着衣側表面１６ｄが、前記第３表面シート１８および前記側部表面シート１７で覆われている。なお、前記側部表面シート１７の両側端部１７ａ，１７ａどうしは、着衣側で接しあるいは一定の間隔を空けて対向している。
【００４５】
図２に示すように、側部吸収シート１６の前端部１６ｅは、生理用ナプキン１の前縁部１ａよりもやや内側に位置し、側部吸収シート１６の後端部１６ｆは、生理用ナプキン１の後縁部１ｂよりもやや内側に位置している。また、前記側部表面シート１７の前縁部１７ｂおよび後縁部１７ｃは、前記前縁部１ａおよび後縁部１ｂの形状にほぼ一致している。なお、図２の平面図で見たときの前記第３表面シート１８の大きさは、前記表面シート１７と同じである。
【００４６】
図２に示すように、各側部吸収要素１５には、縦方向（図示Ｙ方向）に延びる内側圧着凹部１９と外側圧着凹部２０とが形成されている。前記内側圧着凹部１９と外側圧着凹部２０は、共にドット状であり、縦方向中心線Ｏｙ−Ｏｙに向けて窪む円弧曲線に沿って配列している。前記内側圧着凹部１９では、前記側部表面シート１７、第３表面シート１８、および側部吸収シート１６が、局部的に加圧され且つ加熱されており、外側圧着凹部２０では、前記側部表面シート１７および第３表面シート１８が局部的に加圧され且つ加熱されている。
【００４７】
前記内側圧着凹部１９では、側部表面シート１７、第３表面シート１８および側部吸収シート１６がほぼフィルム状に圧着されている。また隣り合う内側圧着凹部１９と圧着凹部１９との中間部１９ａにおいても、側部表面シート１７と、第３表面シート１８および側部吸収シート１６が圧縮されている。その結果、生理用ナプキン１の肌側表面では、前記内側圧着凹部１９が窪んでいるとともに、前記中間部１９ａにも窪みが形成されて、内側圧着凹部１９の並び方向に沿って円弧曲線の圧縮溝が形成されている。
【００４８】
また、外側圧着凹部２０と、前記外側圧着凹部２０，２０間の中間部２０ａにおいても、圧着状態および窪み状態が、前記内側圧着凹部１９および中間部１９ａと同様である。
【００４９】
なお、ドット状の前記内側圧着凹部１９と外側圧着凹部２０を配列する代りに、フィルム状に溶着された部分が円弧曲線状に沿って延びる内側圧着溝と外側圧着溝を形成してもよい。
【００５０】
図２および図３に示すように、裏面シート５の上には液吸収保持層２２が設けられている。この液吸収保持層２２は、単位面積あたりの液の保持容量が前記中央吸収シート１１および側部吸収シート１６よりも大きい。図２に示すように、液吸収保持層２２は、砂時計形状であり、中央吸収要素１０と裏面シート５との間に位置しているとともに、両側部が、前記側部吸収要素１５と裏面シート５との間まで延びている。また前記液吸収保持層２２と裏面シート５はホットメルト型接着剤で接着されている。
【００５１】
前記中央吸収要素１０の肌側のほとんどの領域に、前記中央吸収シート１１の肌側表面１１ｃが露出しており、この中央吸収シート１１の肌側表面１１ｃが、ホットメルト型接着剤によって前記液吸収保持層２２の肌側表面に接着されている。このホットメルト型接着剤は、中央吸収シート１１から液吸収保持層２２への液の移行を阻害しないようにランダムに塗工されている。
【００５２】
前記側部吸収要素１５と前記液吸収保持層２２との間には、液透過性の軟質シート２３が設けられ、この軟質シート２３は、液吸収保持層２２の両側部において前記液吸収保持層２２の肌側表面に液の透過を阻害しないようにホットメルト型接着剤で接着されているとともに、側部吸収要素１５から外れる位置で前記裏面シート５にホットメルト型接着剤により接着されている。そして、前記側部吸収要素１５は、前記軟質シート２３の肌側表面に、液の透過を阻害しないようにランダムに塗工されたホットメルト型接着剤で接着されている。
【００５３】
図１ないし図３に示すように、前記中央吸収要素１０と側部吸収要素１５，１５は、互いに独立しており、中央吸収要素１０とそれぞれの側部吸収要素１５，１５との間に境界部２１，２１が形成されている。
【００５４】
前記境界部２１，２１では、中央表面シート１２のうちの中央吸収シート１１の側端部１１ｅを覆っている部分と、側部表面シート１７のうちの側部吸収シート１６の内側に向く側端部１６ｂを覆っている部分とが接触し、または隙間を空けて対向している。その結果、前記境界部２１，２１は、生理用ナプキン１の肌当接面側から軟質シート２３の肌側表面に至る溝部を構成しており、この溝部は生理用ナプキン１の縦方向の全長、すなわち中央吸収要素１０と側部吸収要素１５，１５の全長に渡って延びている。
【００５５】
前記境界部２１，２１の部分では、中央吸収要素１０が設けられている領域、および側部吸収要素１５，１５が設けられている領域よりも、折り曲げやすくなっており、生理用ナプキン１は、前記境界部２１，２１の部分で縦方向に延びる可撓線が形成されていることになる。
【００５６】
前記中央吸収要素１０の肌側表面と、側部吸収要素１５の肌側表面に同じ量の液体を同じ速度で与えたときに、中央吸収要素１０内に前記液体が吸収される時間が、前記側部吸収要素１５内に前記液体が吸収される時間よりも短くなっている。すなわち、肌側表面に同じ液体を与えたときに、中央吸収要素１０での液体の吸収速度が、側部吸収要素１５での液体の吸収速度よりも速くなっている。
【００５７】
そのために、中央表面シート１２の方が側部表面シート１７よりも液体の透過速度が速くなるように構成されている。
【００５８】
例えば、中央表面シート１２と側部表面シート１７とが、共に多数の液透過孔を有する樹脂フィルムまたは不織布で形成されており、中央表面シート１２での前記液透過孔の開孔面積率が、側部表面シート１７での前記液透過孔の開孔面積率よりも大きくなっている。また、これに代えてまたはこれに加えて、中央表面シート１２での個々の液透過孔の開孔面積が、側部表面シート１７での個々の液透過孔の開孔面積よりも大きくなっているものであってもよい。
【００５９】
また、前記構成に代えまたは加えて、中央表面シート１２の親水度を側部表面シート１７よりも高くしてもよい。
【００６０】
前記の液透過孔を有するシートとしては、目付けが２０〜５０ｇ／ｍ２のポリエチレン（ＰＥ）などの樹脂フィルムに多数の液透過孔を開孔させたものが好ましく使用される。あるいは、芯部がポリプロピレン（ＰＰ）で鞘部がポリエチレン（ＰＥ）、または芯部がポリエステル（ＰＥＴ）で鞘部がＰＥの芯鞘型の複合合成繊維などで形成された繊維ウエッブを、熱でボンディングして、目付けが１５〜５０ｇ／ｍ２の不織布を形成し、これにＰＥなどの樹脂フィルムをラミネートしたラミネート材を用い、このラミネート材に、前記液透過孔を形成したものなどが使用される。
【００６１】
前記個々の液透過孔の開孔径は０．３〜４．０ｍｍの範囲で、開孔面積率は３〜４０％の範囲であり、この範囲で選択することで、前記中央表面シート１２と側部表面シート１７の液透過速度を設定できる。
【００６２】
また、中央表面シート１２と側部表面シート１７とを、液透過孔の開孔面積および開孔面積率が同等の樹脂フィルムまたは前記ラミネート材で形成し、中央表面シート１２に界面活性剤などの親水性付与剤を塗工しまたは練り込んで、前述のように、中央表面シート１２が側部表面シート１７よりも親水度が高く構成されていてもよい。またこれに代えてまたはこれに加えて、側部表面シート１７に撥水性材料が塗工されまたは練り込まれて、側部表面シート１７が中央表面シート１２よりも撥水性が高いものとしてもよい。
【００６３】
また、中央表面シート１２と側部表面シート１７とが共に不織布で形成されている場合には、中央表面シート１２を構成する繊維の親水度を側部表面シート１７を構成する繊維の親水度よりも高くしてもよい。
【００６４】
例えば、中央表面シート１２を、ＰＥ，ＰＰ，ＰＥＴなどの合成繊維で繊度が１．１〜４．４ｄｔｅｘの繊維に、レーヨンやパルプまたはコットンのような親水性繊維が混合されたスパンレース不織布やエアースルー不織布などで形成し、目付けを１５〜８０ｇ／ｍ２となるように調整する。そして、側部表面シート１７を、繊度が０．３〜１．１ｄｔｅｘの細い合成繊維で形成された目付けが２０〜８０ｇ／ｍ２程度の、メルトブローン不織布などのような、高密度で液体に対するバリヤー性の高いものとする。
【００６５】
さらに前記不織布に液透過孔を形成したものであってもよい。この場合、中央表面シート１２が液透過孔を有する不織布で形成され、側部表面シート１７が液透過孔を有しない不織布で形成されてもよい。
【００６６】
あるいは、中央表面シート１２を親水性繊維を含む液の透過性の高い不織布で形成し、側部表面シート１７を液透過孔を有する比較的液透過速度の遅い樹脂フィルムで形成してもよい。
【００６７】
図４は、前記中央吸収シート１１を肌側表面１１ｃが上向きとなるように示した斜視図、図５（Ａ）は前記中央吸収シート１１を肌側表面１１ｃから示す平面図である。図５（Ｂ）は、前記中央吸収シート１１を、横方向に隣接する隆起部をそれぞれ横断する横方向切断線Ｂ−Ｂで切断した断面図、図５（Ｃ）は、縦方向に並ぶ前記隆起部を幅方向に二分する縦方向切断線Ｃ−Ｃで線で切断した縦断面図である。
【００６８】
前記中央吸収シート１１は、液の吸収機能および液の保持機能および形状保持性を有する吸水性シート材料２４を用いて、図４に示すようにシート厚み方向へ立体的な構造となるように賦形したものである。
【００６９】
前記形状保持性を実現する吸収性シート材料２４としては、エアレイド方式で繊維ウエッブを形成して繊維間をバインダーで接合したエアレイド不繊布（エアレイドパルプ）が好ましく使用される。
【００７０】
このエアレイド不繊布は、目付けが５０〜３００ｇ／ｍ２の範囲でパルプ繊維を積層させ、その中に不織布全体の質量に対して５〜２０質量％のアクリル樹脂などの熱溶融バインダーを分散させて、加熱して前記バインダーにより前記パルプ繊維を結合させたものである。これにより形状保持性を有し親水性繊維（天然繊維）のみで形成された前記吸収性シート材料２４を得ることができる。
【００７１】
あるいは、前記エアレイド不織布に、繊度が１．６〜４．４ｄｔｅｘで、繊維長が１〜１０ｍｍのポリエステル（ＰＥＴ）などの合成繊維を５〜５０質量％含ませると、高い湿潤強度が得られ、液体を吸収した状態でも嵩および立体形状を維持しやすくなる。
【００７２】
さらに前記エアレイド不織布に、高分子吸収性ポリマー（ＳＡＰ）を含ませてもよいが、前記高分子吸収性ポリマーを多くいれると、ブロッキングを起こす恐れがあるので、前記高分子吸収性ポリマーの添加量は、不織布全体の質量に対して１０質量％以下であることが好ましい。
【００７３】
また、前記吸水性シート材料２４として、目付けが５０〜３００ｇ／ｍ２のパルプ繊維を積層させ、前記パルプ繊維を目付けが１５〜４０ｇ／ｍ２のティッシュで包んで加圧し、密度が０．０５〜０．１５ｇ／ｃｍ３の範囲となるように調整したものを用いることができる。またこれに１．６〜４．４ｄｔｅｘで、繊維長が１〜１０ｍｍのポリエステル（ＰＥＴ）などの合成繊維を５〜３０質量％含ませて、湿潤強度を高くしてもよい。
【００７４】
また前記ティッシュとパルプ繊維間にホットメルト等の接着剤をスパイラル形状や櫛状に３〜１０ｇ／ｍ２程度塗布して、湿潤強度を高くしてもよい。
【００７５】
前記中央吸収シート１１は、前記吸水性シート材料２４を１枚で形成してもよいし、同種の吸収性シート材料２４または異種の吸収性シート材料が複数枚積層されたもので構成してもよい。または前記吸収性シート材料２４を折り畳んで２枚あるいは３枚重ねで構成してもよい。
【００７６】
図４の立体形状とされた中央吸収シート１１の乾燥時の引張り破断強度は、Ｘ方向とＹ方向の双方において幅２５ｍｍあたり２．５Ｎ以上であることが好ましい。この引っ張り破断強度は、幅２５ｍｍでＸ方向およびＹ方向に細長とされた中央吸収シート１１の試験片のそれぞれを、１００ｍｍのチャック間距離で保持し、前記チャック間を１００ｍｍ／ｍｉｎで広げたときに測定される最大荷重である。なお、前記中央吸収シート１１の湿潤状態での引張り破断強度は、前記乾燥時の強度の２０％以上であることが好ましく、３０％以上であることがさらに好ましい。
【００７７】
図４に示すように中央吸収シート１１には、肌側に向けて隆起するように前記吸収性シート材料２４を変形させて、肌側へ向けて突出する多数の隆起部２５が形成されている。この隆起部２５は、着衣側に開口する内部空間３３を有するように隆起形成されているものである。また、個々の隆起部２５は、この隆起部２５の任意の高さ位置で測定した縦方向の長さ寸法Ｌａが横方向の幅寸法Ｗａよりも大きい縦長形状であり、肌側から見た個々の隆起部２５の形状は長円形状である。
【００７８】
前記隆起部２５は、縦方向に延びる列３０に沿って間隔を空けて配列している。また、列３０に沿って配列する隆起部２５の縦方向に延びる側壁部２５ｂと、前記列３０に隣接する列３０に沿って配列する隆起部２５の前記側壁部２５ｂとの間に、縦案内溝３１が形成されている。また、隆起部２５の縦方向に向く端部２５ｃと、この隆起部２５に縦方向に隣接する隆起部２５の前記端部２５ｃとの間に、横案内溝３２が形成されている。
【００７９】
図示する実施の形態では、それぞれの前記縦案内溝３１が、中央吸収シート１１の縦方向の全長に渡って連続して延びている。ただし、前記縦案内溝３１は、列３０に沿って縦方向に配列する隆起部２５の二個分以上の長さを有し、さらに好ましくは三個以上の長さを有して、この縦案内溝３１が縦方向に間欠的に形成されていてもよい。
【００８０】
また、図５（Ａ）に示すように、前記横案内溝３２を通過して横方向に延びる直線Ｄ−Ｄを引いたときに、この直線Ｄ−Ｄ上では、隆起部２５と横案内溝３２とが、前記縦案内溝３１を挟んで交互に配列している。すなわち、隣接する列３０内に位置する横案内溝３２が横方向へ同一線上に配置されていない構造となっている。
【００８１】
前記隆起部２５の頂部２５ａと第２表面シート１３とが密着している面積は、前記中央吸収シート１１の肌側表面１１ｃの面積に対し２５％〜６５％の範囲内であることが好ましく、より好ましくは４０％〜５５％の範囲内である。前記密着面積の比率が前記範囲を越えると、中央吸収シート１１の面積に対する前記縦案内溝３１の面積の比が小さくなりすぎ、前記縦案内溝３１に効果的に体液を集中させて縦方向に導くのが難しくなる。一方、前記密着面積の比率が前記範囲よりも小さいと、中央吸収シート１１と第２表面シート１３との接触面積が小さくなりすぎて、中央表面シート１２に与えられた液を前記中央吸収シート１１に引き込む能力が低下し、液が前記中央表面シート１２に滞留しやすくなる。
【００８２】
図５（Ｂ）と図５（Ｃ）では、前記中央吸収シート１１の肌側表面１１ｃに接する平面、すなわちそれぞれの隆起部２５の頂部２５ａに接する平面をＨ１とし、中央吸収シート１１の着衣側表面１１ｄに接する平面、すなわち縦案内溝３１の底部３１ａの外面および横案内溝３２の底部３２ａの外面に接する平面をＨ２で示している。
【００８３】
図５（Ｃ）に示すように、縦方向切断線Ｃ−Ｃで切断したときの、前記隆起部２５の内面と前記平面Ｈ２とで囲まれる内部空間３３の断面積をＡ１とし、隆起部２５の外面と前記平面Ｈ１とで囲まれる断面積、すなわち横案内溝３２の溝空間の断面積をＢ１とする。また、図５（Ｂ）に示すように、横方向切断線Ｂ−Ｂで切断したときの、隆起部２５の内面と前記平面Ｈ１とで囲まれる内部空間３３の断面積をＡ２とし、隆起部２５の外面と前記平面Ｈ２とで囲まれる断面積、すなわち縦案内溝３１の溝空間の断面積をＢ２とする。前記断面積は、複数箇所にて計測した値の平均値である。
【００８４】
前記Ｂ１およびＢ２は１〜１０ｍｍ２の範囲内であることが好ましく、より好ましくは１．５〜７ｍｍ２の範囲内である。前記縦案内溝３１と横案内溝３２の溝空間の断面積が前記範囲を超えると、第２表面シート１３と中央吸収シート１１との密着部の面積が小さくなって、第２表面シート１３から中央吸収シート１１に液を引き込みにくくなる。また前記範囲よりも小さいと、高粘性の経血などの体液を前記縦案内溝３１および横案内溝３２に沿って拡散させるのが困難になる。なお、前記横案内溝３２の溝空間の断面積Ｂ１は、縦案内溝３１の溝空間の断面積Ｂ２よりも小さいことが好ましい。縦案内溝３１の溝空間の断面積Ｂ２を横案内溝３２の溝空間の断面積Ｂ１よりも大きくすることにより、液を縦方向に拡散させやすく、また横方向への液洩れを防止しやすくなる。
【００８５】
次に、横方向切断線Ｂ−Ｂで切断したときの前記隆起部２５の内部空間３３の断面積Ａ２は、２〜２５ｍｍ２であることが好ましく、より好ましくは４〜２０ｍｍ２の範囲内である。前記断面積Ａ２を前記範囲内に設定することで、第２表面シート１３と中央表面シート１２との密着面積を前記の最適な範囲に設定しやすくなる、また縦案内溝３１の溝空間を、液を導くのに最適な範囲に設定しやすくなる。
【００８６】
また、前記隆起部２５の内部空間の断面積に対する案内溝の溝空間の断面積の比は、縦方向切断線Ｃ−ＣにおいてＢ１／Ａ１であり、横方向切断線Ｂ−ＢにおいてＢ２／Ａ２である。そして、Ｂ１／Ａ１よりもＢ２／Ａ２の比の方が大きくなっている。（Ｂ１／Ａ１）：（Ｂ２／Ａ２）は、１：１．２以上で１：１０以下が好ましく、さらに好ましくは１：１．５以上で１：５以下である。
【００８７】
縦方向での断面積の比と横方向での断面積の比との関係を前記の比率の範囲とすることにより、液が縦案内溝３１内に入り込みやすくなって、液が縦案内溝３１内を縦方向に拡散しやすくなる。また、縦案内溝３１に多くの液が与えられたときに、この縦案内溝３１内で液が滞留することなく、横案内溝３２を伝わって隣接する縦案内溝３１にも移行できるようになって、中央吸収シート１１の液吸収機能を広い範囲で発揮させることができる。また、液が横案内溝３２を伝わって横方向へ過剰に拡散するのを抑制できるため、中央吸収要素１０から側方吸収要素１５への液の拡散を抑制できる。
【００８８】
後で説明するように、前記中央吸収シート１１は、平坦な吸水性シート材料２４を型ロールで挟んで立体形状に賦形することができる。この立体形状への賦形の際に、隆起部２５の側壁部２５ｂに引っ張り応力が作用するために、側壁部２５ｂで繊維どうしを離す力が作用する。よって、側壁部２５ｂでの繊維密度は、隆起部２５の頂部の繊維密度、縦案内溝３１の底部３１ａでの繊維密度および横案内溝３２の底部３２ａでの繊維密度よりも低くなる。また側壁部２５ｂの場所によっては、吸水性シート材料２４が破断して比較的大きな穴が形成されることもある。
【００８９】
このように、側壁部２５ｂの繊維密度が低く、さらには側壁部２５ｂの繊維の間隔が引張り力によって広げられて側壁部２５ｂにシート破断による穴が形成される結果、例えば、隆起部２５の頂部２５ａと縦案内溝３１の底部３１ａの厚みが０．３５ｍｍ、目付けが８０／ｍ２、密度が０．２２ｇ／ｃｍ３に対して、側壁部２５ｂは厚みが０．７５ｍｍで、密度が０．１１ｇ／ｃｍ３程度となる。すなわち、側壁部２５ｂの密度は、頂部２５ａおよび底部３１ａに対して、０．３〜０．７倍の範囲となる。
【００９０】
よって、縦案内溝３１を縦方向に伝わる液が側壁部２５ｂを通過して隆起部２５の内部空間３３に入りやすくなり、液がその下の液吸収保持層２２に迅速に与えられるようになって、前記縦案内溝３１に与えられた液を短時間で液吸収保持層２２に移行させることができる。また、隆起部２５の頂部２５ａおよび、縦案内溝３１の底部３１ａと横案内溝３２の底部３２ａの繊維密度を比較的高い状態に維持できるので、中央吸収シート１１全体の湿潤時の引っ張り破断強度を高くでき、体圧が作用しても中央吸収シート１１の立体形状を維持しやすくなる。
【００９１】
図４および図５に示すように、横案内溝３２が横方向に延びる同一直線上に位置しないように、隣接する列３０，３０間で、隆起部２５を縦方向に向けて互い違いに配置することにより、案内溝を横方向に向けて迷路状とすることができ、多量の液が短時間に与えられたときにも、液が中央吸収シート１１において横方向に向けて過剰に拡散するのを防止しやすくなっている。
【００９２】
ただし、本発明での隆起部２５の配列構造は前記図４と図５に示す実施の形態に限られるものではなく、図６に示す第２の実施の形態の中央吸収シート１１Ａのように、隣接する列３０，３０間において、隆起部２５が横方向に向けて同じ位置にあり、横案内溝３２が横方向に延びる同一直線上に位置しているものであってもよい。この場合の、各断面積Ａ１，Ｂ１，Ａ２，Ｂ２の好ましい範囲、および断面積の比率の好ましい範囲は、前記中央吸収シート１１と同じである。
【００９３】
また、中央吸収シートにおいて、隆起部２５の配列構造として、図５（Ａ）に示す配列パターンと、図６に示す配列パターンとが混在しているものであってもよい。この場合、縦方向中心線Ｏｙ−Ｏｙを中心として横方向に一定の範囲の中央部では、図６に示す配列パターンとして液が縦方向に拡散しやすいとともに横方向へもある程度拡散できるようにし、前記中央部の両側の側部において、図５（Ａ）に示す配列パターンを採用して、この側部では液が横方向へ移行しにくい構造とすることが好ましい。
【００９４】
これにより中央部では、広い面積で液を吸収して液吸収保持層２２に受け渡すことができ、側部では液の横漏れ、すなわち側部吸収要素１５への液の移行を阻止する機能を発揮できるようになる。
【００９５】
図７は、第３の実施の中央吸収シート１１Ｂを示す平面図である。
図７では、中央吸収シート１１Ｂの縦方向中心線Ｏｙ−Ｏｙから左右に所定距離の中央部Ｅと、この中央部Ｅの両側に位置する側部Ｆ，Ｆとで、隆起部２５の大きさや配列状態が相違している。
【００９６】
前記中央部Ｅでは、横案内溝３２の幅寸法が広く、側部Ｆ，Ｆでは横案内溝３２の幅寸法が狭くなっている。すなわち、図５（Ｃ）に示した縦方向切断線における、隆起部２５の内部空間３３の断面積Ａ１に対する、横案内溝３２の溝空間の断面積Ｂ１の比、Ｂ１／Ａ１は、中央部Ｅよりも側部Ｆの方が小さくなっている。よって、中央部Ｅでは、液が横案内溝３２を通過して隣り合う縦案内溝３１に向けて横方向へ拡散しやすく、側部Ｆでは、液は横案内溝３２を通過し難く、縦案内溝３１に沿って縦方向へ拡散しやすくなっている。
【００９７】
また、隆起部２５の縦方向の長さ寸法Ｌａは、中央部Ｅにおいて短く、側部Ｆにおいて長くなっており、側部Ｆでは、隆起部２５が横方向へ流れようとする液を堰き止めやすくなっている。
【００９８】
また、中央部Ｅにおいて縦案内溝３１の幅寸法を広くし、側部Ｆにおいて縦案内溝３１の幅を狭くして、中央部Ｅよりも側部Ｆの方が、隆起部２５の横方向での密集度を高くすることもできる。すなわち、図５（Ｂ）に示す横方向断面での、隆起部２５の内部空間３３の断面積Ａ２に対する縦案内溝３１の溝空間の断面積Ｂ２の比Ｂ２／Ａ２を、中央部Ｅよりも側部Ｆにおいて小さくしてもよい。
【００９９】
これら配列パターンのいずれかを採用し、あるいは組み合わせることにより、中央部Ｅでは、液が縦方向に方向つけされながらも比較的広い範囲に拡散して中央吸収シート１１に迅速に吸収されて液吸収保持層２２に移行できるようになり、側部Ｆでは、液の横方向への移行を阻止しやすくなる。
【０１００】
図８は本発明の第４の実施の形態の中央吸収シート１１Ｃを示す斜視図である。
【０１０１】
この中央吸収シート１１Ｃでは、横案内溝３２の底部３２ａが、縦案内溝３１の底部３１ａよりも肌側に向けてやや高い位置にある。よって、隆起部２５の頂部２５ａを基準とした、溝の深さは、縦案内溝３１よりも横案内溝３２の方が浅くなっている。このような中央吸収シート１１Ｃを用いると、液は縦案内溝３１によって縦方向に向けて拡散されやすくなり、縦案内溝３１に多くの液が与えられたときだけ、横案内溝３２で液を横方向に向けて案内できるようになる。
【０１０２】
次に、側部吸収要素１５，１５に設けられている前記側部吸収シート１６は、前記中央吸収シート１１のように隆起部２５は形成されておらず肌側表面は平坦面である。前記側部吸収シート１６は前記中央吸収シート１１と同じ素材で形成されてもよいし、異なる素材で形成されてもよい。
【０１０３】
第２表面シート１３および第３表面シート１８は、比較的嵩高で内部に液を透過する空隙が形成されているもので、例えば芯部がポリプロピレン（ＰＰ）で鞘部がポリエチレン（ＰＥ）の芯鞘型複合合成繊維で形成されたエアースルー不織布で形成される。前記エアースルー不織布の目付けは１５〜５０ｇ／ｍ２程度である。
【０１０４】
第２表面シート１３および第３表面シート１８の繊維密度は、中央表面シート１２および側部表面シート１７の繊維密度よりも低く、第２表面シート１３および第３表面シート１８の繊維密度は０．０１６〜０．０８ｇ／ｃｍ３である。
【０１０５】
また前記軟質シート２３も液を透過できる機能を発揮できるもので、前記第２表面シート１３および第３表面シート８と同じ、エアースルー不織布で形成される。
【０１０６】
前記液吸収保持層２２は、エアレイド不繊布（エアレイドパルプ）などで形成される。このエアレイド不繊布は、目付けが５０〜３００ｇ／ｍ２の範囲でパルプ繊維を積層させ、その中に不織布全体の質量に対して５〜２０質量％のアクリル樹脂などの熱溶融バインダーを分散させて、熱により前記パルプ繊維を結合させたものである。また前記エアレイド不織布に、繊度が１．６〜４．４ｄｔｅｘで、繊維長が１〜１０ｍｍのポリエステル（ＰＥＴ）などの合成繊維を５〜５０質量％含ませると、高い湿潤強度が得られ、液体を吸収した状態でも嵩を維持しやすくなる。
【０１０７】
さらに前記エアレイド不織布に、高分子吸収性ポリマー（ＳＡＰ）を５〜５０ｇ／ｍ２の範囲内で含ませると、前記液吸収保持層２２の液吸収保持機能を向上させることができて好ましい。
【０１０８】
また前記液吸収保持層２２の密度は前記中央吸収シート１１の密度より高いことが好ましく、前記液吸収保持層２２の密度は０．０８〜０．１５ｇ／ｃｍ３の範囲内であることが好ましい。
【０１０９】
また前記液吸収保持層２２は、１０〜７０ｇ／ｃｍ２程度の高分子吸収ポリマーを１５〜３０ｇ／ｍ２程度のティッシューで包んだポリマーシートであってもよい。さらに５０〜３００ｇ／ｍ２のパルプ繊維に１０〜７０ｇ／ｍ２程度の高分子吸収ポリマーを分散させ、前記パルプ繊維をティッシュで包んで加圧し、密度が０．０８〜０．１５ｇ／ｃｍ３の範囲で調整したものであってもよい。
【０１１０】
図９は、前記第１の実施の形態の生理用ナプキン１が、ショーツのクロッチ部４０の内面に装着された状態を示す部分断面図である。
【０１１１】
生理用ナプキン１を装着するときには、裏面シート５の着衣表面に設けられた感圧接着剤層６でクロッチ部４０の内面に固定する。さらに、ウイング部２，３をクロッチ部４０の両側部にて折り曲げてクロッチ部４０の外面に巻き付け、ウイング部２，３の裏面に設けられた感圧接着剤層７，７でクロッチ部４０の外面に固定する。
【０１１２】
前記ショーツを着用して生理用ナプキン１を股間部に装着すると、クロッチ部４０および生理用ナプキン１に対して、両側部から大腿部による締め付け力Ｆ，Ｆが作用する。この締め付け力Ｆ，Ｆにより、生理用ナプキン１は両側縁部１ｃと１ｄとの距離が縮まるように変形する。このとき、前記境界部２１，２１において生理用ナプキン１が折れやすいため、中央吸収要素１０が身体に向けて凸形状に変形しやすくなり、中央吸収要素１０が性器に隙間なく密着できるようになる。また両側の側部吸収要素１５，１５は幅寸法が短いため、さほど変形することなく大陰唇またはその外側部分に密着する。
【０１１３】
性器から排泄された経血は、中央吸収要素１０の肌側表面に与えられる。この経血は、中央表面シート１２を透過し、第２表面シート１３の空隙内を重力により透過して、中央吸収シート１１に落下する。
【０１１４】
中央吸収シート１１は液吸収性であるため、経血は前記中央吸収シート１１で吸収されて内部を浸透し、その下に位置する液吸収保持層２２に与えられて保持される。中央表面シート１２に短時間に多くの経血が与えられると、この経血が第２表面シート１３を透過して前記中央吸収シート１１の縦案内溝３１に蓄えられるため、経血の排泄量が多くても、これが中央表面シート１２や第２表面シート１３に長い時間滞留することがない。
【０１１５】
前記中央吸収シート１１の縦案内溝３１内に与えられた経血は、前記縦案内溝３１の底部３１ａから液吸収保持層２２に浸透し、また前記縦案内溝３１の側壁部２５ｂでの密度の低い部分を透過して、隆起部２５の内部空間３３内に至って、液吸収保持層２２で速やかに吸収される。前記縦案内溝３１内に多くの経血が与えられると、経血は前記縦案内溝３１内を縦方向（図示Ｙ方向）に移行していくとともに、横案内溝３２を越えて隣の縦案内溝３１内に入り込み、そこで前記縦案内溝３１内を縦方向に拡散しながら、液吸収保持層２２に吸収されていく。すなわち体液は前記中央吸収シート１１において、主に縦案内溝３１内に入り込むが、横案内溝３２を越えて隣の縦案内溝３１内に移行する通路も形成されているため、縦方向への拡散が優先的に行われるものの、横方向への移行もある程度確保されており、一部の縦案内溝３１に集中して液溜まりが生じるのを防ぐことができる。
【０１１６】
また前記生理用ナプキン１では、前記中央吸収要素１０は生理用ナプキン１の中央部分において独立して設けられているため、前記境界部２１，２１が経血の流れ出しを防止する機能を発揮する。さらに、前記圧着凹部１４によっても、中央吸収要素１０から側部吸収要素１５に向けて液が移行するのを阻止できる。
【０１１７】
また境界部２１，２１では、中央表面シート１２と側部表面シート１７とが接した状態となるが、側部表面シート１７は、中央表面シート１２に比べて液体の透過速度が遅いため、中央吸収要素１０に吸収された経血が、中央表面シート１２を伝わって境界部２１，２１に至ったとしても、この経血は側部吸収要素１５，１５に伝達されにくい。
【０１１８】
したがって、着用中の生理用ナプキン１では、主に中央吸収要素１０にて経血が吸収されて縦方向に拡散するが、側部吸収要素１５は経血を吸収しにくいため、この側方吸収要素１５を常に乾燥状態に保つことができ、陰唇部などに経血が再付着するのを防止できる。しかし液吸収保持層２２は、中央吸収要素１０および側部吸収要素１５の下の広い範囲に設けられているため、生理用ナプキン１全体での液の吸収保持容量を多くできる。
【０１１９】
また、経血が身体の股間部を伝わってその一部が直接に、側部吸収要素１５の側部表面シート１７に接触したとしても、この経血は側部表面シート１７と第３表面シート１８を透過して側部吸収シート１６，１６で吸収される。
【０１２０】
以下、各寸法の好ましい範囲を説明する。以下の寸法は、生理用ナプキン１を自由な状態に展開させ、何ら外力を与えていないときの値である。
【０１２１】
前記生理用ナプキン１の縦方向の全長寸法は１８０〜３５０ｍｍであり、右側縁部１ｃと左側縁部１ｄとの距離の最も短い寸法を幅寸法としたときに、この幅寸法は６０〜１１０ｍｍである。
【０１２２】
前記中央吸収要素１０の幅寸法Ｗ１（図２参照）の好ましい範囲は、２０〜７０ｍｍである。２０ｍｍ未満であると、着用時に中央吸収要素１０と膣口とが横方向へ位置ずれして、中央吸収要素１０の肌側表面と膣口とを確実に密着させるのが困難になる。また中央吸収シート１１内を横方向へ拡散した経血により、中央吸収シート１１の両側部が早い時期に経血で飽和しやすくなる。また７０ｍｍを超えると、両側に配置される側部吸収要素１５，１５の幅寸法Ｗ２（図２参照）が極端に小さくなり、経血が側部吸収要素１５，１５を越えて側方へ漏れ出やすくなる。
【０１２３】
前記側部吸収要素１５，１５の幅寸法Ｗ２は、５〜３０ｍｍの範囲が好ましい。５ｍｍ未満であると、中央吸収シート１１で吸収された経血が側部吸収要素１５，１５を超えて生理用ナプキン１の側方へ漏れやすくなる。また３０ｍｍを超えると、生理用ナプキン１の幅寸法が大きくなりすぎ、また中央吸収要素１０の幅寸法Ｗ１が短くなりすぎて、中央吸収要素１０の液体の吸収容量が少なくなりすぎる。
【０１２４】
また境界部２１，２１の溝部内における中央表面シート１２と側部表面シート１７との対向隙間は０〜５ｍｍが好ましい。前記対向隙間が０ｍｍ未満、すなわち中央吸収要素１０と側部吸収要素１５とが重なっていると、図９に示すように側方からの締め付け力Ｆ，Ｆが作用したときに、前記境界部２１，２１で、中央表面シート１２と側部表面シート１７との圧接力が大きくなり、中央吸収シート１１に吸収された経血が、前記境界部２１，２１において中央表面シート１２および側部表面シート１７を透過して側部吸収シート１６に拡散しやすくなる。
【０１２５】
次に、中央吸収シート１１を図４に示す立体形状に賦形する工程を説明する。図１０は、下型５０を示す斜視図であり、図１１は上型６０を示す斜視図である。
【０１２６】
図１０に示す下型５０には、複数の凸部５１が縦方向（図示Ｙ方向）に横溝部５２を介して一列に並んで列５４を成している。この列５４は横方向（図示Ｘ方向）に縦溝部５３を介して位置し、それぞれの列５４は平行である。また、隣接する列５４と列５４において、横溝部５２は横方向の同一線上に位置しないように形成されている。
【０１２７】
図１１に示す上型６０は、縦方向（Ｙ方向）に延びる凸条部６１が互いに平行に形成されており、隣接する前記凸条部６１，６１の間に溝部６２が形成されている。下型５０の横方向に並ぶ列５４間のピッチと、上型６０の横方向に並ぶ溝部６２のピッチは同一である。
【０１２８】
前記下型５０の表面と上型６０の表面とが、１２０℃程度に加熱された状態で、図１２の断面図に示すように、下型５０と上型６０との間に吸水性シート材料２４が挟まれる。下型５０と上型６０は、凸部５１が溝部６２に入り込み、凸条部６１が縦溝部５３に入り込むように組み合わされる。ただし、下型５０の凸部５１の頂部と上型６０の溝部６２の底面との間に若干のクリアランスが保たれ、上型６０の凸条部６１の頂部と、下型５０の縦溝部５３の底面との間に若干のクリアランスが保てるように、下型５０と上型６０は互いに加圧されないように組み合わされる。
【０１２９】
その結果、図１２に示すように、前記吸水性シート材料２４には、下型５０の凸部５１によって隆起部２５が形成され、上型６０の凸条部６１によって縦案内溝３１が形成される。また前記下型５０と上型６０とを互いに加圧したときに、前記下型５０の横溝部５２では吸水性シート材料２４に大きな引張り力が与えられないため、前記吸収性シート材料２４の横溝部５２に位置する部分は平坦な状態を維持しようとする。その結果、縦方向に並ぶ隆起部２５と隆起部２５との間に横案内溝３２が形成される。したがって、図８に示したように、隆起部２５の頂部２５ａを基準とした溝の深さは、縦案内溝３１に比較して横案内溝３２の方が浅く形成されやすくなる。
【０１３０】
中央吸収シート１１に形成される縦案内溝３１は、下型５０の凸部５１によって加圧されるため、隆起部２５の側壁部２５ｂとなるシートにＸ方向とＹ方向の双方の引張り応力が集中する。よって、前記側壁部２５ｂを形成している繊維の間隔が広げられ、前記のように側壁部２５ｂに繊維密度の低い領域が形成されやすくなる。
【０１３１】
なお、中央吸収シート１１を量産するときには、図１１に示す上型６０は、Ｙ方向が周方向でＸ方向が軸方向となるようにロール表面に形成され、図１０に示す下型５０も、Ｙ方向が周方向でＸ方向が軸方向となるようにロール表面に形成され、両ロールがクリアランスを有して対向し、その間に吸水性シート材料２４が供給されて中央吸収シート１１が形成される。
【０１３２】
なお前記中央吸収シート１１は、１枚の吸水性シート材料２４で形成することもできるが、複数枚の吸水性シート材料を重ねて形成することもできる。前記中央吸収シート１１を立体形状とする際に、前記側壁部２５ｂに張力が作用して繊維の間隔が広げられ、場所によっては亀裂が形成される。ただし、複数枚の吸水性シート２４を重ねて用いていると、前記側壁部２５ｂにおいて複数の吸水性シート２４のそれぞれにおいて繊維密度が低くなる部分や亀裂が生じる部分が異なるようになって一箇所に集中することがなくなる。よって前記側壁部２５ｂの全体の強度の低下を防止でき、湿潤時に立体形状を維持しやすくなる。
【０１３３】
なお、本発明の吸収性物品として、前記中央吸収シート１１と同様に立体的に形成した吸収シートの肌側表面に、開口を有する樹脂フィルムで形成された表面シートを密着させたものであってもよい。また液吸収保持層２２を設けず、前記吸収シートのみで液を吸収する薄型の吸収性物品とすることも可能である。
【０１３４】
また、本発明の吸収性物品として図１３（Ａ）に示す生理用ナプキン１Ａや、図１３（Ｂ）に示す生理用ナプキン１Ｂを構成することができる。
【０１３５】
図１３（Ａ）に示す生理用ナプキン１Ａは、液透過性の表面シート１２Ａと、裏面シート５Ａが、共に砂時計形状であり、前記表面シート１２Ａと裏面シート５Ａとの間に同じく砂時計形状の液吸収保持層２２Ａが挟まれている。そして、表面シート１２Ａと液吸収保持層２２Ａとの間には、前記液吸収保持層２２Ａよりも面積の小さい吸収シート１１Ｅが配置されている。この吸収シート１１Ｅは、前記中央吸収シート１１，１１Ａ，１１Ｂ，１１Ｃと同じものである。
【０１３６】
この生理用ナプキン１Ａは、受液側の中央部分に前記吸収シート１１Ｅが配置されているため、この中央部分に与えられた液は、吸収シート１１Ｅによって、縦方向へ方向つけられながらこの吸収シート１１Ｅで吸収され、さらにその下の液吸収保持層２２Ａに吸収される。よって、横漏れを防止しやすくなる。
【０１３７】
図１３（Ｂ）に示す生理用ナプキン１Ｂでは、図１３（Ａ）に示す実施の形態の生理用ナプキン１Ａに、さらに圧着凹部１４Ａが形成されている。この圧着凹部１４Ａは、表面シート１２Ａから液吸収保持層２２Ａにかけて凹状に加圧成形されているものであり、圧着凹部１４Ａは、吸収シート１１Ｅの少なくとも左右両側に間隔を空けて形成されている。また、図１３（Ｂ）の実施の形態では、前記圧着凹部１４Ａは、吸収シート１１Ｅを囲むように形成されている。
【０１３８】
前述のように、吸収シート１１Ｅは液を縦方向に方向つける機能を有しているが、さらにその左右両側に圧着凹部１４Ａが存在していることにより、この圧着凹部１４Ａで挟まれた領域内で液を縦方向へ方向つけできるようになり、その結果、左右両側への液洩れを有効に防止できるようになる。
【０１３９】
【実施例】
以下の吸水性シートを形成した。
実施例および比較例の全てにおいて、吸水性シート材料として、パルプ繊維をエアレイドにより積層して、バインダーとしてアクリル樹脂を８質量％含んだエアレイドパルプで目付けが８０ｇ／ｍ２を用いた。比較例２のリブまたは実施例１ないし４の隆起部を立体的に形成したものは、リブまたは隆起部の頂部の厚みが０．３５ｍｍ、密度が０．２２ｇ／ｃｍ３であり、リブまたは隆起部の側壁部の厚みが０．７５ｍｍ、密度が０．１１ｇ／ｃｍ３であった。
【０１４０】
（比較例１）
前記吸水性シート材料を立体に変形させることなく、そのまま吸収シートとして使用した。
【０１４１】
（比較例２）
前記吸水性シート材料を用い、図１４のように立体に変形させた。図１４に示す吸水性シートは、縦方向に途切れなく連続して延びる縦リブ７０と、その隣の縦案内溝７１とが横方向に交互に形成された構造である。前記縦案内溝７１の横方向（図示Ｘ方向）の幅寸法は２ｍｍ、縦リブ７０の横方向（図示Ｘ方向）の幅寸法は１．５ｍｍ、前記縦リブ７０の高さは２ｍｍであった。
【０１４２】
（比較例３）
前記吸水性シート材料を用い、図１５（Ａ）のように立体構造に成形して吸収シートを形成した。図１５（Ｂ）に示すように、前記吸収シートには裁頭円錐形状の複数の突起８０が形成されている。前記突起８０の上面の直径は２ｍｍ、高さは２ｍｍ、基部での直径は３．５ｍｍであった。また図１５（Ｃ）に示すように、各突起８０の基部間の間隔は０．６ｍｍであった。
【０１４３】
（実施例１）
前記吸水性シート材料を、図６に示す立体構造とした。隆起部２５の頂部２５ａでの横方向（図示Ｘ方向）の幅を３．５ｍｍ、縦方向（図示Ｙ方向）の長さ寸法を７ｍｍ、隆起部２５の高さを２ｍｍ、横案内溝３２の底部３２ａでの幅寸法を３ｍｍ、縦案内溝３１の底部３１ａでの幅寸法を３ｍｍとした。
【０１４４】
（実施例２）
前記吸水性シート材料を、図４および図５に示す立体構造とした。隆起部２５の頂部２５ａでの横方向（図示Ｘ方向）の幅寸法を３．５ｍｍ、縦方向（図示Ｙ方向）の長さを７ｍｍ、隆起部２５の高さを２ｍｍ、横案内溝３２の底部３２ａでの幅寸法を３ｍｍ、縦案内溝３１の底部３１ａでの幅寸法を３ｍｍとした。
【０１４５】
（実施例３）
前記吸水性シート材料を、図４および図５に示す立体構造とした。隆起部２５の頂部２５ａでの横方向（図示Ｘ方向）の幅寸法を２ｍｍ、縦方向（図示Ｙ方向）の長さ寸法を５ｍｍ、隆起部２５の高さを２ｍｍ、横案内溝３２の底部３２ａでの幅寸法を３ｍｍ、縦案内溝３１の底部３１ａでの幅寸法を３ｍｍとした。
【０１４６】
（実施例４）
前記吸水性シート材料を、図４および図５に示す立体構造とした。隆起部２５の頂部２５ａでの横方向（図示Ｘ方向）の幅寸法を２ｍｍ、縦方向（図示Ｙ方向）の長さ寸法を１０ｍｍ、隆起部２５の高さを２ｍｍ、横案内溝３２の底部３２ａでの幅寸法を３ｍｍ、縦案内溝３１の底部３１ａでの幅寸法を３ｍｍとした。
【０１４７】
（吸収性能の実験方法▲１▼）
上記した各吸水シートを横方向（Ｘ方向）の幅寸法が１００ｍｍ、縦方向（Ｙ方向）の長さ寸法が２００ｍｍとなるようにカットし、また高吸収性ポリマー（ＳＡＰ）を２０質量％とパルプとから成る目付けが２００ｇ／ｍ２のエアレイドパルプを、前記吸水シートと同寸法にカットし、前記吸水シートの下に前記エアレイド不繊布を重ねた。
【０１４８】
次にオートビュレットを用いて、前記吸水シートの表面に７ｇ／分のスピードで７ｇの人工経血を滴下した。
【０１４９】
滴下終了後、１分間放置し、その後、各吸水シートの表面に拡散した人工経血の横方向への拡散寸法（ＣＤ）と、縦方向への拡散寸法（ＭＤ）を測定した。その実験結果は表１に示されている。
【０１５０】
【表１】
2004350726.tif 000003
【０１５１】
表１に示すように、比較例１では、人工経血の横方向への拡散寸法（ＣＤ）と、縦方向への拡散寸法（ＭＤ）が同じであり、比較例３でも、人工経血の横方向への拡散寸法（ＣＤ）と、縦方向への拡散寸法（ＭＤ）がほぼ同じ大きさである。また、比較例２では、人工経血の横方向への拡散寸法（ＣＤ）に比べて、縦方向への拡散寸法（ＭＤ）が約２倍になっており、横方向へ液が移行しにくい。
【０１５２】
一方、実施例１ないし４ではいずれも、人工経血の横方向への拡散寸法（ＣＤ）に比べて、縦方向への拡散寸法（ＭＤ）が大きくなっているが、比較例２ほど、縦方向への拡散寸法（ＭＤ）が大きくなっておらず、また比較例１や３に比べて横方向への拡散寸法（ＣＤ）を小さくできる。実施例１ないし４では、横方向への拡散寸法（ＣＤ）を小さくできるとともに、縦方向に拡散していく人工経血を比較例２に比べて速やかに、吸水性シートの下に設けられたエアレイド不繊布に導くことができる。
【０１５３】
次に、比較例１ないし３および実施例１ないし４の各吸水性シートを生理用ナプキンの中に組み込んで、その際の吸収性能を測定した。
【０１５４】
（生理用ナプキンの構造）
液不透過性の裏面シートの上に、高吸収性ポリマーを２０質量％とパルプから成る目付けが２００ｇ／ｍ２のエアレイドパルプを、横方向の幅寸法が８０ｍｍ、縦方向の長さ寸法が２００ｍｍとなるようにカットして設置し、前記エアレイドパルプの上に、比較例１ないし３および実施例１ないし４の各吸水性シートを横方向の幅寸法を８０ｍｍ、縦方向の長さ寸法を１５０ｍｍにカットして設置した。さらに前記吸水性シートの上に、目付けが２５ｇ／ｍ２のエアースルー不繊布シートを、横方向の幅寸法が８０ｍｍ、縦方向の長さ寸法が２００ｍｍの寸法にカットして設置した。さらに前記エアースルー不繊布シートの上に、親水性油剤が２５質量％練りこまれた複数の液透過孔を有する樹脂フィルム（目付けは２５ｇ／ｍ２）を、横方向の幅寸法が８０ｍｍ、縦方向への長さ寸法が２００ｍｍの寸法にカットして設置した。
【０１５５】
（吸収性能の実験方法▲２▼）
上記した各生理用ナプキンの上に、中心に穴が空いたアクリル板を置いた。前記アクリル板は、その厚みが５ｍｍで、横方向の幅寸法が１００ｍｍ、縦方向の長さ寸法が２００ｍｍの平板状であり、前記アクリル板の中心に横方向の開口幅が１０ｍｍ、縦方向への開口長さが４０ｍｍの穴が形成されたものである。
【０１５６】
各生理用ナプキンの上に上記したアクリル板を設置した後、前記アクリル板に形成された穴からオートビュレットを用いてまず人工経血を３ｃｃ（滴下スピードは９０ｍｌ／分）滴下し、続いて人工経血を４ｃｃ（滴下スピードは９５ｍｌ／分）滴下した。合計、７ｃｃの人工経血を滴下した後、約１分放置し、各生理用ナプキンの表面シートに拡散した人工経血の横方向への拡散寸法（ＣＤ）と方向への拡散寸法（ＭＤ）を測定した。
【０１５７】
また上記の実験とは別に、前記の各生理用ナプキンの上に上記したアクリル板を設置した後、前記アクリル板に形成された穴からオートビュレットを用いてまず人工経血を３ｃｃ（滴下スピードは９０ｍｌ／分）滴下し、続いて人工経血を４ｃｃ（滴下スピードは９５ｍｌ／分）滴下し、続いて、人工経血を３ｃｃ（滴下スピードは９０ｍｌ／分）滴下し、続いて人工経血を４ｃｃ（滴下スピードは９５ｍｌ／分）滴下し、合計１４ｃｃの人工経血を滴下した後、約１分放置し、各生理用ナプキンの表面シートに拡散した人工経血の横方向への拡散寸法（ＣＤ）と縦方向への拡散寸法（ＭＤ）を測定した。その実験結果は表２に示されている。
【０１５８】
【表２】
2004350726.tif 000004
【０１５９】
表２に示されるように、実施例１ないし４の生理用ナプキンでは、比較例１や比較例３の生理用ナプキンに比べて人工経血の横方向への拡散寸法（ＣＤ）を小さくできることがわかった。また実施例１ないし４の生理用ナプキンと比較例２の生理用ナプキンとを比べて見ると、実施例１ないし４の方が縦方向への拡散寸法（ＭＤ）を抑えやすく、実施例１ないし４の生理用ナプキンでは、比較例２に比べて、吸水性シートの下に設けられたエアレイド不繊布シートに速やかに経血が導かれている。
【０１６０】
【発明の効果】
以上のように本発明では、液体を縦方向へ拡散でき、側方からの液体の漏れを防止しやすくなる。
【図面の簡単な説明】
【図１】本発明の吸収性物品の第１の実施の形態の生理用ナプキンを示す斜視図、
【図２】図１に示す生理用ナプキンの平面図、
【図３】図１に示す生理用ナプキンのＩＩＩ−ＩＩＩ線の断面のうちの縦方向中央線Ｏｙ−Ｏｙよりも右側に現れる部分のみを拡大した部分拡大断面図、
【図４】第１の実施の形態の中央吸収シートの部分斜視図、
【図５】（Ａ）は図４に示す中央吸収シートの部分平面図、（Ｂ）は（Ａ）に示す中央吸収シートをＢ−Ｂ線で切断した断面を矢印方向から見た部分拡大断面図、（Ｃ）は（Ａ）に示す中央吸収シートをＣ−Ｃ線で切断した断面を矢印方向から見た部分拡大断面図、
【図６】第２の実施の形態の中央吸収シートの部分平面図、
【図７】第３の実施の形態の中央吸収シートの部分平面図、
【図８】第４の実施の形態の中央吸収シートの部分斜視図、
【図９】図１に示す生理用ナプキンが下着のクロッチ布に装着された状態を横方向基準線Ｏｘ−Ｏｘで切断した断面図、
【図１０】中央吸収シートを立体構造に成形するための下型の斜視図、
【図１１】中央吸収シートを立体構造に成形するための上型の斜視図、
【図１２】上型と下型で中央吸収シートを立体成型している状態を示す断面図、
【図１３】（Ａ）（Ｂ）は、本発明の吸収性物品のさらに他の実施の形態を示す平面図、
【図１４】実験に使用した比較例２の吸水性シートの部分斜視図、
【図１５】（Ａ）は、実験に使用した比較例３の吸水性シートの部分斜視図、（Ｂ）は（Ａ）に示す突起の拡大断面図、（Ｃ）は（Ａ）に示す複数の突起の平面図、
【符号の説明】
１  生理用ナプキン
５  裏面シート
１０  中央吸収要素
１１  中央吸収シート
１２  中央表面シート
１３  第２表面シート
１５  側部吸収要素
１６  側部吸収シート
１７  側部表面シート
１８  第３表面シート
２２  液吸収保持層
２３  軟質シート
２４  吸水性シート材料
２５  隆起部
２５ａ  頂部
２５ｂ  側壁部
３０  列
３１  縦案内溝
３２  横案内溝
５０  下型
５１  凸部
６０  上型
６１  凸条部
【図１】
2004350726.tif 000005
【図２】
2004350726.tif 000006
【図３】
2004350726.tif 000007
【図４】
2004350726.tif 000008
【図５】
2004350726.tif 000009
【図６】
2004350726.tif 000010
【図７】
2004350726.tif 000011
【図８】
2004350726.tif 000012
【図９】
2004350726.tif 000013
【図１０】
2004350726.tif 000014
【図１１】
2004350726.tif 000015
【図１２】
2004350726.tif 000016
【図１３】
2004350726.tif 000017
【図１４】
2004350726.tif 000018
【図１５】
2004350726.tif 000019